(57)【要約】【課題】表示装置の輝度調整範囲を従来より広めることができるようにする。【解決手段】バックライト装置の光源として、赤蛍光体と緑蛍光体の２種類の蛍光体で作られたＲＧランプと、青蛍光体で作られたＢランプとが採用される。この場合、ＲＧランプとＢランプとの電流比を可変することで、各々の色度を結んだ線分の範囲内で、電流比に合わせた色座標を設定できることになる。本発明は、液晶表示装置用バックライト装置に適用することができる。【選択図】図１０
2010153065.tif 000002
【特許請求の範囲】
【請求項１】
色度図において所定の色度を有し、電流に応じて発光輝度が可変する第１光源と、
前記色度図において前記第１光源の色度と自身の色度とを結んだ線分が黒体曲線の一部を通るように製作され、電流に応じて発光輝度が可変する第２光源と、
前記第１光源と前記第２光源とからの各光を、所定の方向に出射する導光板と、
前記第１光源と前記第２光源のそれぞれを駆動し、前記導光板から出射される前記各光の合成光の色度の目標値に応じて、前記第１光源と前記第２光源のそれぞれに対する電流を可変する制御を実行する光源駆動部と
を備える照明装置。
【請求項２】
前記第１光源と前記第２光源とはランプを含むようにそれぞれ構成されている
請求項１に記載の照明装置。
【請求項３】
前記第1光源は、青色蛍光体で製作されたランプを含むように構成されている
請求項２に記載の照明装置。
【請求項４】
前記第２光源は、緑色蛍光体と赤色蛍光体で製作されたランプを含むように構成されている
請求項２に記載の照明装置。
【請求項５】
前記光源駆動部は、前記第１光源と前記第２光源とのうちの、一方の電流を固定し、他方の電流を可変制御する
請求項１に記載の照明装置。
【請求項６】
前記光源駆動部は、前記第２光源の電流を固定し、前記第１光源の電流を可変制御する
請求項５に記載の照明装置。
【請求項７】
前記光源駆動部は、
前記色度の目標値として設定できる色座標の範囲の中で、所定の色座標が目標値として設定されたときに、前記第１光源と前記第２光源の各電流が所定レベルとなるように制御し、
前記所定の色座標よりも低い色座標が目標値として設定されたときに、前記第１光源と前記第２光源のうち、一方の電流を前記所定レベルで固定し、他方の電流を前記所定レベルより低い範囲で可変制御し、
前記所定の色座標よりも高い色座標が目標値として設定されたときに、前記第１光源と前記第２光源のうち、前記一方の電流を前記所定レベルより低い範囲で可変制御し、前記他方の電流を前記所定レベルで固定する
請求項１に記載の照明装置。
【請求項８】
色度図において前記第１光源の色度と前記第２光源の色度とを結んだ線分が、色度図における色温度6500Kまたはその所定範囲内を通る
請求項１に記載の照明装置。
【請求項９】
前記第１の光源は、青色半導体チップから構成されるLED（Light Emitting Diode）を含み、
前記第２の光源は、青色半導体チップに蛍光体を施して発光する構成のLEDを含む
請求項１に記載の照明装置。
【請求項１０】
色度図において所定の色度を有し、電流に応じて発光輝度が可変する第１光源と、
前記色度図において前記第１光源の色度と自身の色度とを結んだ線分が黒体曲線の一部を通るように製作され、電流に応じて発光輝度が可変する第２光源と、
前記第１光源と前記第２光源とからの各光を、所定の方向に出射する導光板と
を備える照明装置が、
前記第１光源と前記第２光源のそれぞれを駆動し、前記導光板から出射される前記各光の合成光の色度の目標値に応じて、前記第１光源と前記第２光源のそれぞれに対する電流を可変する制御を実行する
ステップを含む照明方法。
【請求項１１】
色度図において所定の色度を有し、電流に応じて発光輝度が可変する第１光源と、
前記色度図において前記第１光源の色度と自身の色度とを結んだ線分が黒体曲線の一部を通るように製作され、電流に応じて発光輝度が可変する第２光源と、
前記第１光源と前記第２光源とからの各光を、所定の方向に出射する導光板と
を備える照明装置を制御するコンピュータに
前記第１光源と前記第２光源のそれぞれを駆動し、前記導光板から出射される前記各光の合成光の色度の目標値に応じて、前記第１光源と前記第２光源のそれぞれに対する電流を可変する制御を実行する
ステップを含む制御処理を実行させるプログラム。
【請求項１２】
色度図において所定の色度を有し、電流に応じて発光輝度が可変する第１光源と、
前記色度図において前記第１光源の色度と自身の色度とを結んだ線分が黒体曲線の一部を通るように製作され、電流に応じて発光輝度が可変する第２光源と、
前記第１光源と前記第２光源とからの各光を、所定の方向に出射する導光板と、
前記導光板から入射する光を利用して画像を表示する表示パネルと、
前記第１光源と前記第２光源のそれぞれを駆動し、前記導光板から出射される前記各光の合成光の色度の目標値に応じて、前記第１光源と前記第２光源のそれぞれに対する電流を可変する制御を実行する光源駆動部と
を備える表示装置。
【請求項１３】
色度図において所定の色度を有し、電流に応じて発光輝度が可変する第１光源と、
前記色度図において前記第１光源の色度と自身の色度とを結んだ線分が黒体曲線の一部を通るように製作され、電流に応じて発光輝度が可変する第２光源と、
前記第１光源と前記第２光源とからの各光を、所定の方向に出射する導光板と、
前記導光板から入射する光を利用して画像を表示する表示パネルと
を備える表示装置が、
前記第１光源と前記第２光源のそれぞれを駆動し、前記導光板から出射される前記各光の合成光の色度の目標値に応じて、前記第１光源と前記第２光源のそれぞれに対する電流を可変する制御を実行する
ステップを含む表示方法。
【請求項１４】
色度図において所定の色度を有し、電流に応じて発光輝度が可変する第１光源と、
前記色度図において前記第１光源の色度と自身の色度とを結んだ線分が黒体曲線の一部を通るように製作され、電流に応じて発光輝度が可変する第２光源と、
前記第１光源と前記第２光源とからの各光を、所定の方向に出射する導光板と、
前記導光板から入射する光を利用して画像を表示する表示パネルと
を備える表示装置を制御するコンピュータに、
前記第１光源と前記第２光源のそれぞれを駆動し、前記導光板から出射される前記各光の合成光の色度の目標値に応じて、前記第１光源と前記第２光源のそれぞれに対する電流を可変する制御を実行する
ステップを含む制御処理を実行させるプログラム。
【発明の詳細な説明】
【技術分野】
【０００１】
本発明は、照明装置および方法、表示装置および方法、並びにプログラムに関し、特に、表示装置の輝度調整範囲を従来より広めることができるようになった照明装置および方法、表示装置および方法、並びにプログラムに関する。
【背景技術】
【０００２】
近年、液晶表示装置が普及してきている。液晶表示装置は、その液晶パネルに入射された光の透過率を画素毎に制御することで画像を表示している。従って、この液晶パネルに光を入射させる照明装置として、バックライト装置が液晶パネルに組み込まれていることが多い。
【０００３】
バックライト装置の光源は、ノート型のパーソナルコンピュータ等では１本の冷陰極管（以下、ランプと称する）であることが多いのに対して、据え置き型のパーソナルコンピュータやテレビジョン受像機等では複数本のランプであることが多い（特許文献１乃至特許文献４参照）。
【０００４】
ところで、液晶表示装置においては、液晶パネルから出射される光の目標色度（色度座標の目標値）に対応して、バックライト装置のランプから放射される光の色度（色度座標）が決められていた。換言すると、例えば、液晶パネルから色温度が6500度や 9300度である色度の光を出すことが目標とされている場合（色度図における黒体曲線上の6500度や9300度に対応する色度（点）の色度座標が目標値とされている場合）、ランプは次のようにして製作されている。即ち、液晶パネルの液晶表面で目標の色度を出すために、ランプから液晶パネルまでの間での色減衰による色度変化等が考慮された上、それに対応した蛍光体が調合されてランプが製作されている。要するに、目標色度に応じて、その蛍光体の調合種類が設定されることになる。
【０００５】
このように、ランプからの光の色度は一般的に固定されている。即ち、そのようにランプが製作されている。
【０００６】
特許文献１乃至４の従来の発明では、状況が変化した場合、具体的には例えば、輝度調整等によりランプの電流が変化した場合、ランプ内の蛍光体が経年劣化した場合、または、ランプの周囲の温度が変化した場合等に次の点が指摘されていた。即ち、複数本のランプから入射されて導光板から出射される光の輝度と色度の色度座標とのいずれも、目標値（固定値のままの場合もあるし、調整等を目的とした可変値の場合もある）に保持させることは困難であるという点が指摘されていた。
【０００７】
そこで、この点を解決可能なバックライト装置が、本発明人により発明され、特許文献５に開示されている。
【特許文献１】特開平１１−１７４９７６号公報
【特許文献２】特開平９−２９２６１４号公報
【特許文献３】特開平８−２８６１８４号公報
【特許文献４】特開２００１−３５１４２５号公報
【特許文献５】特開２００５−１６６５８３号公報
【発明の開示】
【発明が解決しようとする課題】
【０００８】
しかしながら、特許文献５に記載のバックライト装置では、表示装置の輝度調整範囲を広くしたいという要望に応えることは困難であった。
【０００９】
本発明は、このような状況に鑑みてなされたものであり、表示装置の輝度調整範囲を従来より広めることができるようにするものである。
【課題を解決するための手段】
【００１０】
本発明の一側面の照明装置は、色度図において所定の色度を有し、電流に応じて発光輝度が可変する第１光源と、前記色度図において前記第１光源の色度と自身の色度とを結んだ線分が黒体曲線の一部を通るように製作され、電流に応じて発光輝度が可変する第２光源と、前記第１光源と前記第２光源とからの各光を、所定の方向に出射する導光板と、前記第１光源と前記第２光源のそれぞれを駆動し、前記導光板から出射される前記各光の合成光の色度の目標値に応じて、前記第１光源と前記第２光源のそれぞれに対する電流を可変する制御を実行する光源駆動部とを備える。
【００１１】
前記第1光源は、青色蛍光体で製作されたランプを含むように構成されている。
【００１２】
前記第１光源と前記第２光源とはランプを含むようにそれぞれ構成されている。
【００１３】
前記第２光源は、緑色蛍光体と赤色蛍光体で製作されたランプを含むように構成されている。
【００１４】
前記光源駆動部は、前記第１光源と前記第２光源とのうちの、一方の電流を固定し、他方の電流を可変制御する。
【００１５】
前記光源駆動部は、前記第２光源の電流を固定し、前記第１光源の電流を可変制御する。
【００１６】
前記光源駆動部は、前記色度の目標値として設定できる色座標の範囲の中で、所定の色座標が目標値として設定されたときに、前記第１光源と前記第２光源の各電流が所定レベルとなるように制御し、前記所定の色座標よりも低い色座標が目標値として設定されたときに、前記第１光源と前記第２光源のうち、一方の電流を前記所定レベルで固定し、他方の電流を前記所定レベルより低い範囲で可変制御し、前記所定の色座標よりも高い色座標が目標値として設定されたときに、前記第１光源と前記第２光源のうち、前記一方の電流を前記所定レベルより低い範囲で可変制御し、前記他方の電流を前記所定レベルで固定する。
【００１７】
色度図において前記第１光源の色度と前記第２光源の色度とを結んだ線分が、色度図における色温度6500Kまたはその所定範囲内を通る。
【００１８】
前記第１の光源は、青色半導体チップから構成されるLED（Light Emitting Diode）を含み、前記第２の光源は、青色半導体チップに蛍光体を施して発光する構成のLEDを含む。
【００１９】
本発明の一側面の照明方法およびプログラムは、上述の本発明の一側面の照明装置に対応する方法およびプログラムである。
【００２０】
本発明の一側面の照明装置および方法並びにプログラムにおいては、色度図において所定の色度を有し、電流に応じて発光輝度が可変する第１光源と、前記色度図において前記第１光源の色度と自身の色度とを結んだ線分が黒体曲線の一部を通るように製作され、電流に応じて発光輝度が可変する第２光源と、前記第１光源と前記第２光源とからの各光を、所定の方向に出射する導光板とを備える照明装置によって、前記第１光源と前記第２光源のそれぞれが駆動され、前記導光板から出射される前記各光の合成光の色度の目標値に応じて、前記第１光源と前記第２光源のそれぞれに対する電流を可変する制御が実行される。
【００２１】
本発明の一側面の表示装置は、色度図において所定の色度を有し、電流に応じて発光輝度が可変する第１光源と、前記色度図において前記第１光源の色度と自身の色度とを結んだ線分が黒体曲線の一部を通るように製作され、電流に応じて発光輝度が可変する第２光源と、前記第１光源と前記第２光源とからの各光を、所定の方向に出射する導光板と、前記導光板から入射する光を利用して画像を表示する表示パネルと、前記第１光源と前記第２光源のそれぞれを駆動し、前記導光板から出射される前記各光の合成光の色度の目標値に応じて、前記第１光源と前記第２光源のそれぞれに対する電流を可変する制御を実行する光源駆動部とを備える。
【００２２】
本発明の一側面の表示方法およびプログラムは、上述の本発明の一側面の表示装置に対応する方法およびプログラムである。
【００２３】
本発明の一側面の表示装置および方法並びにプログラムにおいては、色度図において所定の色度を有し、電流に応じて発光輝度が可変する第１光源と、前記色度図において前記第１光源の色度と自身の色度とを結んだ線分が黒体曲線の一部を通るように製作され、電流に応じて発光輝度が可変する第２光源と、前記第１光源と前記第２光源とからの各光を、所定の方向に出射する導光板と、前記導光板から入射する光を利用して画像を表示する表示パネルとを備える表示装置によって、前記第１光源と前記第２光源のそれぞれが駆動され、前記導光板から出射される前記各光の合成光の色度の目標値に応じて、前記第１光源と前記第２光源のそれぞれに対する電流を可変する制御が実行される。
【発明の効果】
【００２４】
以上のごとく、本発明によれば、表示装置の輝度調整範囲を従来より広めることができるようにすることができる。
【発明を実施するための最良の形態】
【００２５】
＜１．本発明が適用された照明装置の第１の実施の形態＞
[照明装置の第１の実施の形態としてのバックライト装置の構成例]
図１は、本発明が適用される表示装置の第１の実施形態としての、ノート型パーソナルコンピュータ等に用いられる液晶表示装置の構成例を示す断面図である。
【００２６】
図１の例の液晶表示装置には、バックライト装置１とLCD(Liquid Crystal Display)２が設けられている。なお、LCDとは、一般的に液晶表示装置全体等を指すこともあるが、ここでは、特に液晶パネルを指す。
【００２７】
バックライト装置１には、導光板１１、２本のランプ１２−Ａおよびランプ１２−Ｂ、並びに、インバータユニット１３が設けられている。
【００２８】
導光板１１は、LCD２の裏面（LCD２の表示面が表面とされる）側に配置され、２本のランプ１２−Ａおよびランプ１２−Ｂから入射する光を、LCD２に向けて（所定の方向）出射する。
【００２９】
なお、導光板１１の表面（LCD２の裏面と対向する面）とLCD２の裏面との間には、拡散シートやプリズムシート等が配置されることもある。また、導光板１１の裏面側には、反射シート等が配置されることもある。
【００３０】
２本のランプ１２−Ａ，１２−Ｂのそれぞれは、例えば、蛍光灯等で構成される。図１の例では、ランプ１２−Ａ，１２−Ｂは、導光板１１の表面と垂直な４つの面のうちの所定の面１１−１（図１中右側の面１１−１）側に、その面１１−１と略平行に、面１１−１に沿って配置されている。
【００３１】
インバータユニット１３は２つの出力を有している。これらの２つの出力のうちの、第１の出力がランプ１２−Ａに接続され、第２の出力がランプ１２−Ｂに接続されている。即ち、インバータユニット１３は、ランプ１２−Ａとランプ１２−Ｂとのそれぞれを個別に駆動することができる。
【００３２】
詳細には、インバータユニット１３は、ランプ１２−Ａとランプ１２−Ｂとのそれぞれに対して高周波の電圧を個別に印加することで、ランプ１２−Ａとランプ１２−Ｂとのそれぞれを個別に発光させる。
【００３３】
このとき、インバータユニット１３は、ランプ１２−Ａとランプ１２−Ｂとのそれぞれの電流を個別に制御することができる。この電流の制御方式自体は、特に限定されず、例えば、PWM(Pulse Width Modulation：パルス幅変調)制御方式や、アナログ電流制御方式等を採用することができる。なお、PWM制御方式とは、電流のオン状態とオフ状態とをスイッチングにより切換え、そのオン状態とオフ状態との比率（デューティ）を可変することにより、平均電流を制御する方式をいう。このPWM制御方式は、デューティ制御方式やパルス幅制御方式等と称されることもある。一方、アナログ電流制御方式とは、アナログ的に電流値の大小を制御する方式をいう。
【００３４】
図２は、インバータユニット１３の機能的構成例を示す機能ブロック図である。
【００３５】
図２に示されるように、インバータユニット１３は、電流指令部２１、および、ランプ駆動部２２−Ａ，２２−Ｂを含むように構成されている。
【００３６】
電流指令部２１は、ランプ１２−Ａの電流のレベルを指令する信号Ａ（以下、このような信号を、個別輝度制御信号Ａと称する）をランプ駆動部２２−Ａに入力させる。また、電流指令部２１は、ランプ１２−Ｂの電流のレベルを指令する信号Ｂ（以下、このような信号を個別輝度制御信号Ｂと称する）をランプ駆動部２２−Ｂに入力させる。
【００３７】
ランプ駆動部２２−Ａは、ランプ１２−Ａを駆動し、電流指令部２１からの個別輝度制御信号Ａに基づいてランプ１２−Ａの電流を制御する。ランプ駆動部２２−Ｂは、ランプ１２−Ｂを駆動し、電流指令部２１からの個別輝度制御信号Ａに基づいてランプ１２−Ｂの電流を制御する。
【００３８】
[特許文献５に記載のバックライト装置の概略説明]
【００３９】
ここで、本発明の理解を容易なものとすべく、［背景技術］の欄で説明した特許文献５に記載のバックライト装置について、その概略を説明する。
【００４０】
なお、特許文献５に記載のバックライト装置（以下、従来のバックライト装置と称する）の構成自体は、図１と図２に示される構成を取ることができる。そこで、以下、図１と図２に記載されている符号を適宜用いて、従来のバックライト装置の概略について説明する。
【００４１】
従来のバックライト装置は、複数のランプ（図１の例では、ランプ１２−Ａとランプ１２−Ｂ）の電流の総和（以下、総電流と称する）の実レベルを目標レベル（目標輝度に対応するレベル）に保つ制御を実行している。また、従来のバックライト装置は、導光板１１から出射される光の実際の色度の色度座標を目標値でほぼ保つことを目的として、複数のランプのそれぞれに対する総電流の配分比（以下、電流比と称する）を可変する制御を実行している。以下、かかる制御を、電流比可変制御と称する。
【００４２】
なお、色度の色座標を変えるという点に着目すると、総電流を制御する必要性は特に無く、電流比可変制御を単に行えばよいことになる。電流比可変制御には、１種類のランプの電流を制御（増減）する一方で他の種類のランプの電流を一定にする、という制御も含まれている。そこで、後述するように、本発明が適用されるバックライト装置は、総電流とは独立して、電流比可変制御を行っている。
【００４３】
従来のバックライト装置に適用される電流比可変制御（以下、従来の電流比可変制御と称する）と、本発明が適用されるバックライト装置に適用される電流比可変制御（以下、本発明の電流比可変制御と称する）とは異なる点がある。そこで、本発明の電流比可変制御の理解を容易なものとすべく、その説明の前に、図３の色度図を参照して、従来の電流比可変制御について説明する。
【００４４】
図３は、従来の電流比可変制御を説明する色度図である。
【００４５】
図３の色度図において、曲線３１は、スペクトル色軌跡を示している。即ち、このスペクトル色軌跡３１上に、純粋な色を有するスペクトルの各単色光が配置される。スペクトル色軌跡３１の近傍に示される各数値は、各単色光のそれぞれの波長を示している。また、直線３２は純紫軌跡を示している。即ち、この純紫軌跡３２に、紫と赤の単色光の混合によって得られる、光スペクトルにはない赤紫色の純な光が配置される。従って、全ての色は、このスペクトル色軌跡３１と純紫軌跡３２とで囲まれる範囲内の点、即ち、色度図における座標(x,y)の点として表現することができる。この点が色度と称されており、色度の位置を特定する座標(x,y)が色度座標(x,y)と称されている。
【００４６】
また、曲線３３は、黒体曲線を示している。黒体曲線とは、黒体（全ての波長の光を完全に吸収する理想物体）を燃焼させた場合にその黒体から発する光の色度の軌跡をいう。なお、黒体曲線３３の近傍に示される各数値は、その数値が示す色度（点）の光を発している黒体の温度を指している。この温度は色温度と称されており、色温度により黒体曲線３３上の色度（点）が示される。即ち、黒体曲線３３上の色度（点）は色度座標で示すこともできるし、色温度で示すこともできる。
【００４７】
ところで、この色度図において、第１の色度の第１の光と、第２の色度の第２の光とが空間的に混合された場合を考える。この場合、第１の光と第２の光とが混合された第３の光の第３の色度（点）は、第１の色度（点）と第２の色度（点）とで結ばれた直線上に位置することになる。ただし、その直線上の何れの場所に第３の色度（点）が位置するのかについては、第１の光の第１の光量（輝度）と、第２の光の第２の光量（輝度）とに依存する。従って、第１の光の第１の光量（輝度）と、第２の光の第２の光量（輝度）との比を変えることで、第３の色度（点）の位置、即ち色度座標を調整できる。
【００４８】
そこで、ランプ１２−Ａとして、第１の色度で第１の光を発するように製作されたランプを採用する。また、ランプ１２−Ｂとして、第２の色度で第２の光を発するように製作されたランプを採用する。これにより、ランプ１２−Ａ，１２−Ｂの各光量（輝度）の比を変えることで、導光板１１から出射される第３の光、即ち、LCD２から出射される第３の光の第３の色度の色度座標を調整できる。
【００４９】
特許文献５には、ランプ１２−Ａの第１の色度と、ランプ１２−Ｂの第２の色度の設定手法としては、図３に示されるように、所定の範囲３４内における黒体曲線３３上に設定する設定手法を採用すると好適である、と記載されている。即ち、色度３５または色度３６のうちのいずれか一方を第１の色度として設定し、他方を第２の色度として設定する設定手法を採用すると、好適であると特許文献５に記載されている。その理由は、特許文献５によれば次の通りである。即ち、液晶表示装置の目標色度は色温度（即ち、黒体曲線３３上の色度）で設定されることが多いためである。要するに、導光板１１の表面から出射される光の色度を色温度で調整する場合、色温度３５（黒体曲線３３上の色度３５）と、色温度３６（黒体曲線３３上の色度３６）とを用いる方が効率的だからである。
【００５０】
図３に示されるように、色温度３５や色温度３６の色座標は6500K近傍となっている。よって、従来のバックライト装置に使用されるランプ１２−Ａ，１２−Ｂは、6500K近傍の色座標の色度で発光するに製作されている必要がある。このためには、従来のバックライト装置に使用されるランプ１２−Ａ，１２−Ｂは、赤色，緑色，青色の３種類の蛍光体を用いて製作する必要があった。
【００５１】
しかしながら、赤色，緑色，青色の３種類の蛍光体によりランプ１２−Ａ，１２−Ｂが製作され、ランプ１２−Ａ，１２−Ｂのx/y値が比較的近くできている場合、色座標を可変するためには、ランプ１２−Ａ，１２−Ｂの電流比を大きく取らなければならない。具体的には例えば、導光板１１から出射される第３の光（即ち、LCD２から出射される第３の光）の第３の色度（色温度）が6500kに設定されたとする。また、色温度が6500Kとなるランプ１２−Ａと、色温度が9300Kとなるランプ１２−Ｂが製作されたとする。この場合、ランプ１２−Ａ，１２−Ｂの電流比は１：０になってしまう。即ち、ランプ１２−Ａの電流が１００％となるのに対して、ランプ１２−Ｂの電流は０％になってしまう。
【００５２】
ところが、ランプ１２−Ａ，１２−Ｂは、電流の制限が、最大電流側と最小電流側との両方に課されている。最小電流にいたっては、ランプ１２−Ａ，１２−Ｂの安定度を考えた場合には、最大電流の20％程度までの電流に制限される。よって、表示装置の最大輝度は、ランプ１２−Ａ，１２−Ｂの最大電流で制限を受け、また、表示装置の最小輝度は、ランプ１２−Ａ，１２−Ｂの最小電流で制限される。
【００５３】
よって、従来の電流比可変制御では、ランプ１２−Ａ，１２−Ｂの電流比を大きく取らなければならなかったため、電流比を一定にした状態で、即ち、色度を同一に保った状態で、輝度を調整しようとすると、次のようなデメリットが生じていた。即ち、ランプ１２−Ａ，１２−Ｂの総電流の可変範囲が狭くなり、表示装置の最大輝度と最小輝度の可変範囲（輝度調整範囲）が狭くなってしまうというデメリットが生じていた。
【００５４】
図４は、従来の電流比可変制御による、表示装置の輝度調整範囲の一例を示している。
【００５５】
図４の例では、ランプ１２−Ａ，１２−Ｂの電流比は、２：１に固定されている。この場合、図４に示されるように、表示装置の最小輝度はランプ１２−Ｂ側の最小電流により制限されるのに対して、表示装置の最大輝度はランプ１２−Ａ側の最大電流により制限される。図示はしないが、これらの制限が課されることにより、表示装置の最大輝度と最小輝度の可変範囲（輝度調整範囲）は、電流比が大きくなる程狭まることは自明である。
【００５６】
また、従来の電流比可変制御では、上述の如く、ランプ１２−Ａとランプ１２−Ｂの総電流を一定にすることが前提とされていた。
【００５７】
図５は、総電流の一定を前提とした従来の電流比可変制御の手法の例を示している。
【００５８】
図５の例では、色温度の設定として、低色温度（例えば5000K）、中色温度（例えば6500K）、および高色温度（例えば9300Ｋ）の３種類の可変設定が可能とされている。
【００５９】
この場合、３種類のどの色温度設定でも、ランプ１２−Ａとランプ１２−Ｂとが同時に最大電流を流すことがないことが図５から容易にわかる。即ち、従来の電流比可変制御では、ランプの電流許容範囲を有効に使っておらず、本来有している輝度出力能力をフルに発揮することができず、結果的に表示装置の輝度が低くなってしまう、というデメリットもあった。
【００６０】
［本発明が適用される電流比可変制御］
【００６１】
そこで、本発明人は、このような従来の電流比可変制御が有するデメリットを改善すべく、次のような電流比可変制御（以下、本発明の電流比可変制御）の手法を発明した。
【００６２】
即ち、本発明の電流比可変制御では、青色蛍光体で製作され、電流に応じて発光輝度が可変する第１光源と、色度図において第１光源の色度と自身の色度とを結んだ線分が黒体曲線の一部を通るように製作され、電流に応じて発光輝度が可変する第２光源とが採用される。換言すると、このような第１光源と第２光源とであれば、その種類は限定されない。
【００６３】
そこで、第１光源と第２光源として、ランプ１２−Ａ,１２−Ｂのいずれか一方がそれぞれ採用された場合を例として、以下、説明をしていく。具体的には例えば、以下の例では、ランプ１２−Ａ、１２−Ｂのうち、一方のランプは、赤蛍光体と緑蛍光体の２種類の蛍光体で作られたランプが採用される。以下、このようなランプをＲＧランプと称する。これに対して、他方のランプは 青蛍光体で作られたランプが採用さられる。以下、このようなランプをＢランプと称する。
【００６４】
なお、所定色の蛍光体で作られたランプとは、所定色の蛍光体１００％のみで作られたランプのみを含むという狭義の概念ではなく、１００％とは言えないまでも実質上所定色の蛍光体で作られたと言えるランプまでも含む広義の概念である。即ち、Ｂランプといっても、青色蛍光体１００％のみが含まれているとは限らず、若干の赤色蛍光体や緑色蛍光体を含む場合もあり得る。ＲＧランプも同様に、若干の青色蛍光体を含む場合もあり得る。
【００６５】
図６は、冷陰極管に使用される蛍光体の一例を表形式で示している。図６の表では、蛍光体の特性を示す項目として、左から順に「発光色」、「略名」、「組成」、および「ピーク波長」の各項目が設けられている。即ち、これらの各項目の各行に記述される各特性を有する物質が、それぞれ、所定の１つの蛍光体を示している。
【００６６】
青色蛍光体とは、外部からエネルギーを貰い、そのエネルギーを青色の光に変換する物質をいう。具体的には例えば図６の例では、「発光色」の項目が「Blue」と記載された蛍光体、即ち、図６の上から１行目と２行目に記述される各特性をそれぞれ有する蛍光体を、青色蛍光体として採用することができる。
【００６７】
図７は、図６の各例の青色蛍光体の発光スペクトルの例を示している。
【００６８】
緑色蛍光体とは、外部からエネルギーを貰い、そのエネルギーを緑色の光に変換する物質をいう。具体的には例えば図６の例では、「発光色」の項目が「Green」と記載された蛍光体、即ち、図６の上から３行目と４行目に記述される各特性をそれぞれ有する蛍光体を、緑色蛍光体として採用することができる。
【００６９】
図８は、図６の各例の緑色蛍光体の発光スペクトルの例を示している。
【００７０】
赤色蛍光体とは、外部からエネルギーを貰い、そのエネルギーを赤色の光に変換する物質をいう。具体的には例えば図６の例では、「発光色」の項目が「Red」または「Deep Red」と記載された蛍光体、即ち、図６の上から５行目乃至７行目に記述される各特性をそれぞれ有する蛍光体を、赤色蛍光体として採用することができる。
【００７１】
図９は、図６の各例の赤色蛍光体の発光スペクトルの例を示している。
【００７２】
以上まとめると、ランプ１２−Ａ，１２−Ｂの組として、従来の電流比可変制御では、赤蛍光体、緑蛍光体、および、青蛍光体の３種類からそれぞれ製作される２つのランプの組が採用されていた。これに対して、本発明の電流比可変制御では、赤蛍光体と緑蛍光体から製作されるＲＧランプと、青蛍光体から製作されるＢランプとの組が採用されている。これにより、ランプ１２−Ａ，１２−Ｂの組の色座標の差を、従来の場合と比べて大きく取ることができるようになる。以下、このことをさらに詳しく説明していく。
【００７３】
図１０は、本発明の電流比可変制御を説明する色度図である。
【００７４】
なお、図１０の色度図自体は、従来の電流比可変制御を説明する図３の色度図と同一である。
【００７５】
例えば、図１０に示されるＲＧランプによる色度は、図３に示される従来のランプによる色度３６と比べてより一段と黄色味な色座標（x/y値が右上方向の座標）の色度となっていることがわかる。また、Ｂランプによる色度は、図３に示される従来のランプによる色度３５と比べてより一段と青色味な色座標（x/y値が左下方向の座標）となっていることがわかる。このように、ランプ１２−Ａ，１２−Ｂの組として、ＲＧランプとＢランプとの組を採用することで、ランプ１２−Ａ，１２−Ｂの色座標の差を、従来の場合と比べて大きく取ることができるようになる。
【００７６】
この場合、本発明の電流比可変制御では、ＲＧランプとＢランプとの電流比を可変することで、各々の色度を結んだ線分の範囲内で、電流比に合わせた色座標を設定できることになる。
【００７７】
例えば、図１０の例では、ＲＧランプとＢランプとの色度を結んだ線分は、色温度6500K近傍の黒体曲線３３にほぼ平行している。例えば、この線分は、5000K近傍エリア（x＝0.348±0.01、y＝0.352±0.01のエリア）と、6500K近傍エリア（x＝0.311±0.01、y＝0.323±0.01のエリア）を通る。ここで、5000K近傍エリアとは、標準照明光Ｂの色度（x/y＝0.3484/0.3516
）を意味している。また、6500K近傍エリアとは、標準照明光Ｄ６５の色度（x/y＝0.3127/0.3290）と標準照明光Ｃの色度（x/y＝0.3101/0.3162）の平均的な値を意味している。
【００７８】
よって、導光板１１から出射される光の色度として、即ち、LCD２から出射される光の色度の色度座標として、例えば、6500Kと5000Kとの２点を設定することができる。例えば図３と比較すべく6500Kを設定することを考える。この場合、本発明の電流比可変制御では、図１０の色度において、ＲＧランプの色度と6500Kとの間の直線距離と、Ｂランプの色度と6500Kとの間の直線距離との逆比を、ＲＧランプとＢランプの電流比として設定できる。これに対して、従来の電流比可変制御では、図３の色度図において、色度３５と6500Kとの直線距離と、色度３６と6500Kとの直線距離との逆比が、２つのランプの電流比として設定できる。この場合、ＲＧランプの色度と6500Kとの間の直線距離やＢランプの色度と6500Kとの間の直線距離（図１０の色度図参照）は、従来の色度３５と6500Kとの直線距離や色度３６と6500Kとの直線距離（図３の色度図参照）に比べて遥かに長くなる。よって、本発明の電流比可変制御で設定できる電流比は、従来の電流比可変制御で設定できる電流比と比較して小さくできる。
【００７９】
即ち、ＢランプやＲＧランプであっても最大電流が決まっていること自体は従来のランプと何等変わりない。しかしながら、本発明の電流比可変制御では、電流比が小さくても目的（上述の例では6500Kを設定するという目的）を達成できる。このことは、図４を用いて上述したように、２種類のＢランプとＲＧランプの総電流の可変範囲を、従来と比較して広く取れることを意味する。このことはさらに、表示装置の輝度全体を大きく取れることを意味しているし、また、最小電流を小さく取れるので輝度をより絞り込むことができることを意味している。
【００８０】
図１１は、本発明の電流比可変制御による、表示装置の輝度調整範囲の一例を示している。
【００８１】
図１１の例では、ＲＧランプとＢランプの電流比（ランプ１２−Ａ，１２−Ｂの電流比）は、従来の図４の例の２：１よりも小さい比率で固定されている。この場合、表示装置の最小輝度はＢランプ側の最小電流により制限さるのに対して、表示装置の最大輝度はＲＧランプ側の最大電流により制限されること自体は従来と変わりない。しかしながら、ＲＧランプとＢランプの電流比が従来の電流比（図４の例の電流比）に比べて低いので、その分だけ、表示装置の最大輝度と最小輝度の可変範囲（輝度調整範囲）を広く取ることができるようになるのである。
【００８２】
また、従来の電流比可変制御の前提、即ち、ランプ１２−Ａとランプ１２−Ｂの総電流（本発明ではＲＧランプとＢランプの総電流）を一定にするという前提事項は、本発明の電流比可変制御の前提事項として特に要求されない。
【００８３】
それゆえ、例えば図１２，図１３に示されるような電流比可変制御を実現化することができる。
【００８４】
図１２，図１３は、本発明の電流比可変制御の手法の２つの例をそれぞれ示している。
【００８５】
図１２，図１３の例では、従来との比較を容易なものとすべく、従来の図５の例と同様に、色温度の設定として、低色温度（例えば5000K）、中色温度（例えば6500K）、および高色温度（例えば9300Ｋ）の３種類の可変設定が可能とされている。
【００８６】
図１２の例では、ＲＧランプは最大電流のまま固定した上で、即ち、ＲＧランプの電流の制御を行うことなく、Ｂランプのみが、色度の設定値に応じた電流となるように制御される。即ち、ＲＧランプとＢランプとの電流比は、１：Ｋ（Ｋは、１以下の値であって、各色度設定値により異なる値）となるように、Ｂランプの電流が制御される。
【００８７】
図５の例の従来の電流比可変制御では、ランプ１２−Ａ，１２−Ｂの総電流をほぼ一定にした上で、色度を変えるために電流比を調整していたため、ランプ１２−Ａ，１２−Ｂの両者の電流制御が必要であった。これに対して、図１２の例の本発明の電流比可変制御を採用することで、色度を変えるための電流比の調整としてランプ１２−Ａ，１２−Ｂのうち、ＲＧランプの方の電流制御は実行せずに、Ｂランプの方の電流制御のみを実行すればよい。このように、電流制御が１つのＢランプのみで済むので、本発明の電流比可変制御を従来と比較して簡素化できる。
【００８８】
さらに、Ｂランプは、主に青色を発光する。青色は輝度に対しての影響度が赤，緑，青の３原色の中では最も小さい。例えば、NTSC（National Television Standards Committee）での規定では、赤，緑，青の各輝度への寄与率は、赤が約３０％であり、緑が約６３％であるのに対して、青は約７％程である。よって、表示装置の色度を、Ｂランプの電流制御のみで変更したとしても、表示装置の輝度変化は小さくて済むのである。
【００８９】
図１２の例の電流比可変制御を採用する場合には、ＲＧランプとＢランプとの両者が最大電流（または同一電流）を流したときに、表示装置上の色度が目的の高色温度（例えば9300K）となるように、ＲＧランプとＢランプの色度をそれぞれ決定すればよい。例えば、Ｂランプを青蛍光体のみで作った場合には、Ｂランプの色度は決まってしまう。そこで、ＲＧランプ側の蛍光体調合で色度の調整を行うことで、ＢランプとＲＧランプに同一電流を流したときに目的の高色温度（例えば9300K）となるようにするのである。
【００９０】
また、従来の電流比可変制御の図５の例と、本発明の電流制御の図１２の例とを比較するに、図５の例では、上述の如く、２つのランプ１２−Ａ,１２−Ｂは同時に最大電流を流すことができない。これに対して、図１２の例では、高色温度（例えば9300K）に設定された場合には、２つのＲＧランプとＢランプ（ランプ１２−Ａ,１２−Ｂ）ともに最大電流を流すことができる。その結果、従来と比較して、表示装置の最大輝度を大きく取ることができる。また、中色温度（例えば6300K）の設定でも、ＲＧランプは最大電流（または、少なくとも図５のランプ１２−Ａよりも大きな電流）を流すことができる。さらに、ＲＧランプは、赤と緑を主に発光するので、上述の如く、表示装置の輝度への寄与度が大きい。よって、表示装置の輝度は、従来に比べて大きくなる。
【００９１】
このような本発明の電流比可変制御の一例である図１２の例に対して、別の例である図１３の例とは、次のような例である。即ち、中色温度（例えば6500K）において、２つのＲＧランプとＢランプ（ランプ１２−Ａ,１２−Ｂ）ともに最大電流を流させるようにした例が図１３の例である。図１３の例は、例えば、パーソナルコンピュータのモニタとして搭載される表示装置に適用すると好適である。パーソナルコンピュータの静止画で最も多く採用されている色温度は6500Kだからである。
【００９２】
図１３の例では、図１２の例のように、１種類のＢランプの電流制御のみでなく ２種類のＢランプとＲＧランプの両者の電流制御が必要となる。
【００９３】
図１３の例の電流比可変制御を採用する場合には、ＲＧランプとＢランプとの両者が最大電流（または同一電流）を流したときに、表示装置上の色度が目的の中色温度（例えば6500K）となるように、ＲＧランプとＢランプの色度をそれぞれ決定すればよい。例えば、Ｂランプを青蛍光体のみで作った場合には、Ｂランプの色度は決まってしまう。そこで、ＲＧランプ側の蛍光体調合で色度の調整を行うことで、ＢランプとＲＧランプに同一電流を流したときに目的の中色温度（例えば6500K）となるようにするのである。
【００９４】
以上、図１と図２に示されるバックライト装置１の構成について説明し、引き続き、従来の電流比可変制御と適宜比較しつつ、本発明の電流比可変制御の手法について説明した。次に、図１と図２に示されるバックライト装置１の動作について説明する。
【００９５】
[照明装置の第１の実施の形態としてのバックライト装置の動作例]
【００９６】
図示せぬ制御部等は、導光板１１からの光の目標色度（色度座標の目標値）に基づいて色度指令を生成する。即ち、制御部等はまた、目標色度に対応する電圧レベルの信号を、色度指令として生成する。そして、制御部等は、色度指令を電流指令部２１に供給する。
【００９７】
なお、例えば本実施の形態では、色度指令として次の信号が採用されているとする。即ち、上述したように、導光板１１からの光の色度（LCD２からの光の色度）は、ＢランプとＲＧランプ（ランプ１２−Ａとランプ１２−Ｂ）との電流比を可変することで調整可能である。従って、色度指令とは、基準状態におけるＢランプとＲＧランプとの電流比（以下、ベース電流比と称する）の設定に必要な信号が色度指令採用されているとする。
【００９８】
具体的には例えば、色度指令は０[V]乃至３［V］の範囲の電圧信号とされる。図１２の例の本発明の電流比可変制御が採用された場合には、その範囲の最大値（即ち、3.0V）の電圧信号が、ＢランプとＲＧランプとの電流を等しくする指令（電流比を１：１とする指令）が示されている。０［V］乃至３［V］未満の範囲の電圧信号は、ＲＧランプに最大電流を流し、Ｂランプに対しては、最大電流よりも小さい電流であって、指令電圧値に応じた大きさの電流を流す指令を示している。換言すると、図１２の例の本発明の電流比可変制御が採用された場合には、ＲＧランプは一定の電流（最大電流）が流れるので、色度指令は、単に、Ｂランプの電流指令になる。
【００９９】
これに対して、図１３の例の本発明の電流比可変制御が採用された場合には、その範囲の中心（即ち、１．５[V]）の電圧信号が、ＢランプとＲＧランプとの電流を等しくする指令（電流比を１：１とする指令）を示している。また、０［V］乃至１．５［V］未満の範囲の電圧信号は、ＲＧランプに最大電流を流し、Ｂランプに対しては、最大電流よりも小さい電流であって、指令電圧値に応じた大きさの電流を流す指令を示している。ただし、０［V］乃至１．５［V］未満の範囲で電圧値が大きくなるに従い、Ｂランプの電流は大きくなっていく。一方、１．５［V］乃至３［V］の範囲（１．５［V］除く）の電圧信号は、Ｂランプに最大電流を流し、ＲＧランプに対しては、最大電流よりも低い電流であって、指令電圧値に応じた大きさの電流を流す指令を示している。ただし、１．５［V］乃至３［V］の範囲で電圧値が大きくなるに従い、ＲＧランプの電流は小さくなっていく。
【０１００】
電流指令部２１は、このような色度指令に従って、ＲＧランプとＢランプの電流比を設定し、個別輝度制御信号Ａと個別輝度制御信号Ｂとを生成する。具体的には、例えば、電流指令部２１は、ＲＧランプとＢランプの電流比をｐ：ｑ（ｐとｑは任意の整数値）と設定した場合、電圧レベルの比もほぼｐ：ｑとなる個別輝度制御信号Ａと個別輝度制御信号Ｂとのそれぞれを生成する。なお、図１２の例の本発明の電流比可変制御が採用されている場合には、p=１の固定値となり、qが1以下の可変値となる。
【０１０１】
このようにして生成された個別輝度制御信号Ａはランプ駆動部２２−Ａに供給される。一方、このようにして生成された個別輝度制御信号Ｂはランプ駆動部２２−Ｂに供給される。
【０１０２】
なお、このような電流指令部２１の処理を、以下、電流指令制御処理と称する。この電流指令制御処理の詳細については、図１５のフローチャートを参照して後述する。
【０１０３】
次に、ランプ駆動部２２−Ａとランプ駆動部２２−Ｂに着目すると、ランプ駆動部２２−Ａは、ランプ１２−Ａを駆動し、供給された個別輝度制御信号Ａに基づいてランプ１２−Ａの電流(レベル)を制御する。同様に、ランプ駆動部２２−Ｂは、ランプ１２−Ｂを駆動し、供給された個別輝度制御信号Ｂに基づいてランプ１２−Ｂの電流(レベル)を制御する。
【０１０４】
以下、説明の簡略上、ランプ１２−ＡとしてＢランプが採用されており、ランプ１２−ＢとしてＲＧランプが採用されているとする。もっとも、この逆の採用でも構わないことは言うまでもない。
【０１０５】
このようなランプ駆動部２２−Ａとランプ駆動部２２−Ｂとの相互に独立した電流制御の結果、ＢランプとＲＧランプ（ランプ１２−Ａとランプ１２−Ｂ）との実際の電流比が、電流指令部２１により設定された電流比（設定値）とほぼ一致するようになる。即ち、ＢランプとＲＧランプのそれぞれは、所定の色度の光を、各々制御された電流レベルに対応する輝度（光量）で出射する。
【０１０６】
すると、導光板１１の表面（即ち、LCD２の表面）からは、Ｂランプの光とＲＧランプの光とが空間的に混合された光が出射される。その結果、導光板１１の表面から出射される光の実際の色度が目標値でほぼ一定に保たれる。
【０１０７】
なお、液晶表示装置の輝度調整としては、本発明の電流比可変制御では総電流の統一を図る必要がないので、例えば、個別輝度制御信号Ａと個別輝度制御信号Ｂとに対して、同倍率のゲインであって、輝度指令に応じたゲインをそれぞれかければよい。
【０１０８】
また、上述の例の説明では、その説明の簡略上、色度（色温度など）は、基本的に液晶など表示装置表面での色座標を用いて説明している。しかしながら、ＢランプやＲＧランプの色度やバックライト装置１の色度と、最終的な液晶表面の色度は同一でない点、注意を要する。
【０１０９】
図１４は、ランプ単体の色度と液晶表面の色度の変化の程度を示す図である。
【０１１０】
図１４に示されるように、ランプ単体の色度から、最終的な液晶表面に至るまでに色度は移動する。即ち、ランプ単品からの光が、導光板１１や各種シートからなるバックライト装置１を伝搬し、さらにカラーフィルターや偏光板や液晶を伝搬することで、最終的に表示装置からの光（画像）として人間の眼に入射される。よって、ランプ単品の色度と表示装置上の色度は違ってくるのである。このため、実際には、この色度の移動を考慮して、本発明の電流比可変制御の各種設定や、ＢランプやＲＧランプの製作をする必要がある。
【０１１１】
図１５は、上述のバックライト装置１の動作のうち、電流指令部２１の電流指令制御処理の一例を説明するフローチャートである。
【０１１２】
なお、ここでは、説明の簡略上、輝度指令は固定値であるとする。ただし、輝度指令を可変することで、上述の如く輝度調整は容易に行える。
【０１１３】
ステップＳ１において、電流指令部２１は、色度指令に従って、ＢランプとＲＧランプの電流比を設定する。なお、図１２の例の本発明の電流比可変制御が適用されている場合には、ＲＧランプには一定の電流（最大電流）が流れるので、ＢランプとＲＧランプの電流比の設定とは、実質上、Ｂランプの電流値の設定を意味する。
【０１１４】
ステップＳ２において、電流指令部２１は、ステップＳ１の処理で設定した電流比に基づいて、個別輝度制御信号Ａと個別輝度制御信号Ｂとのそれぞれを生成し、出力する。
【０１１５】
ステップＳ３において、電流指令部２１は、色度指令が変化したか否かを判定する。
【０１１６】
ステップＳ３において、色度指令が変化していないと判定された場合、処理はステップＳ４に進む。ステップＳ４において、電流指令部２１は、ランプ駆動の停止が指示されたか否かを判定する。ランプ駆動の停止の指示については、特に限定されないが、例えば本実施の形態では、輝度指令の発行が停止することがランプ駆動の停止の指示として採用されている。よって、輝度指令が発行されている限り、即ち、輝度指令として所定の電圧値が電流指令部２１に供給されている限り、ステップＳ４においてＮＯであると判定され、処理はステップＳ３に戻され、色度指令が変化したか否か再度判定される。
【０１１７】
色度指令が変化した場合には、ステップＳ３においてＹＥＳであると判定されて、処理はステップＳ１に戻され、それ以降の処理が繰り返される。即ち、電流比の設定が更新され、更新後の電流比に基づいて個別輝度制御信号Ａと個別輝度制御信号Ｂとがそれぞれ生成されて、出力される。
【０１１８】
その後、輝度指令の発行が停止すると、即ち、輝度指令としての電圧値が0［V］になると、ステップＳ４においてＹＥＳであると判定され、電流指令制御処理が終了となる。
【０１１９】
[照明装置の第１の実施の形態としてのバックライト装置の別の構成例]
【０１２０】
ところで、バックライト装置１のＢランプ（ランプ１２−Ａ）とＲＧランプ（ランプ１２−Ｂ）とのそれぞれの配置位置は、図１や図２の場所に限定されず、Ｂランプからの光とＲＧランプからの光とが空間的に混合された光が、導光板１１からLCD２の所定の方向に出射可能な場所であれば何れの場所でもよい。
【０１２１】
図１６は、本発明が適用される表示装置の実施形態としての、ノート型パーソナルコンピュータ等に用いられる液晶表示装置の構成例であって、図１の例とは異なる例を示す断面図である。
【０１２２】
図１６に示されるように、導光板１１の表面と垂直な４つ面のうちの面１１−２側に、その面１１−２と略平行に、面１１−２に沿ってランプ１２−Ａ（Ｂランプ）を配置させてもよい。また、その面１１−２と対向する面１１−１側に、その面１１−１と略平行に、面１１−１に沿ってランプ１２−Ｂ（ＲＧランプ）を配置させてもよい。
【０１２３】
また例えば、図示はしないが、面１１−１と面１１−２のうちの何れか一方の面側に、その面と略垂直方向に、ランプ１２−Ａ（Ｂランプ）とランプ１２−Ｂ（ＲＧランプ）を配置させてもよい。
【０１２４】
また、上述したバックライト装置１においては、２本のランプ１２−Ａ（Ｂランプ）とランプ１２−Ｂ（ＲＧランプ）が搭載されていたが、ランプの本数は特に限定されない。
【０１２５】
図１７は、本発明が適用される表示装置の実施形態としての、ノート型パーソナルコンピュータ等に用いられる液晶表示装置の構成例であって、図１や図１６の例とは異なる例を示す断面図である。
【０１２６】
図１７に示されるバックライト装置１０１では、４本のランプ１２−Ａ乃至ランプ１２−Ｄが搭載されている。
【０１２７】
図１７の例では、４本のランプ１２−Ａ乃至ランプ１２−Ｄは、次のような第１の組と第２の組に分割されている。第１の組とは、２本のランプ１２−Ａとランプ１２−Ｂとからなる組をいう。第２の組とは、２本のランプ１２−Ｃとランプ１２−Ｄとからなる組をいう。この場合、第１の組に属するランプの全てを、導光板１１の面１１−２側に、その面１１−２と略平行に、面１１−２に沿って配置させることができる。一方、第２の組に属するランプの全てを、面１１−２と対向する面１１−１側に、その面１１−１と略平行に、面１１−１に沿って配置させることができる。
【０１２８】
なお、４本のランプ１２−Ａ乃至ランプ１２−Ｄの配置位置は、特に図１７の例に限定さない。
【０１２９】
例えば、図示はしないが、ランプ１２−Ａとランプ１２−Ｃとを第１の組として採用して、ランプ１２−Ｂとランプ１２−Ｄを第２の組として採用してもよい。
【０１３０】
また例えば、図示はしないが、図１に対応する配置位置を採用してもよい。即ち、４本のランプ１２−Ａ乃至ランプ１２−Ｄの全てを、導光板１１の面１１−１側に、その面１１−１と略平行に（面１１−１に沿って）配置させてもよい。この場合、ランプ１２−Ａ乃至ランプ１２−Ｅのうちの任意の２本を第１の組として採用し、残りの２本を第２の組として採用することができる。
【０１３１】
この場合、何れの分類手法が採用されていても、ＢランプとＲＧランプのうち、一方のみから構成される組を第１の組とし採用し、他方のみから構成される組を第２の組として採用することができる。これにより、本発明の電流比制御が容易に実現可能となる。
【０１３２】
以上、本発明が適用された照明装置の第１の実施の形態として、ライトを光源として採用するバックライト装置について説明した。次に、本発明が適用された照明装置の第２の実施の形態として、LED（Light Emitting Diode）を光源として採用するバックライト装置について説明する。
【０１３３】
＜２．本発明が適用された照明装置の第２の実施の形態＞
［LEDを光源として含む従来のバックライト装置についての概要］
初めに、本発明が適用された照明装置の第２の実施の形態の理解を容易なものとすべく、LEDを光源として採用する従来のバックライト装置について、その概略を説明する。
【０１３４】
１種類のLEDが光源として採用された場合、当然のことながら、表示装置として１種類の色度（色温度）しか設定することはできない。
【０１３５】
また、１種類のLEDといっても、１個のLEDで光源が構成されることは稀であり、多数のLEDで光源が構成されることになる。これらの多数のLEDの色度のバラつきはそのまま表示装置の色度のバラつきとなって現れてしまう。
【０１３６】
図１８は、一般的な色度図であって、上述した図３や図１０の色度図と同一の色度図である。
【０１３７】
図１９は、図１８の色度図のうち、四角で囲んだ領域１５１を拡大した図である。
【０１３８】
図１９には、複数の白LED（一般的に青色半導体チップに黄色の蛍光体で白LEDとしているもの）の実際の色度がプロットされている。ただし、プロット数が多数のため、あたかも黒色の帯状の群として図１９に表わされている。かかる黒色の帯状の群の方向が、LEDの色度のバラつきの方向になる。
【０１３９】
なお、ここで注意しなければならない点は、ランプと同様に、LED単品の色座標と表示装置上の色座標は違うという点である。
【０１４０】
図２０は、LED単体の色座標と液晶表面の色座標の変化の程度を示す図である。
【０１４１】
図２０に示されるように、LED単体の色度から、最終的な液晶表面に至るまでに色度は移動する。即ち、LED単品からの光が、導光板や各種シートからなるバックライト装置を伝搬し、さらにカラーフィルターや偏光板や液晶を伝搬することで、最終的に表示装置からの光（画像）として人間の眼に入射される。よって、LED単品の色度と表示装置上の色度は違ってくるのである。
【０１４２】
また、特許文献５に記載の従来の電流比可変制御（概略は本明細書でも説明済）を、LEDを光源として含む従来のバックライト装置に適用することもできる。即ち、光源として、赤，緑，青の蛍光体により製作されたランプ１２−Ａ，１２−Ｂの代わりに、色度が青側に偏った白LEDと、色度が黄側に偏った白LEDとの２種類の白LEDを採用することで、従来の電流比可変制御を実現できる。
【０１４３】
しかしながら、この場合、２種類の白LEDを用いることになるので、図１９を用いて上述したLED単品のバラつきが、２種類のそれぞれで発生し、それらが組み合わされることになるので、バラつきの度合が大きくなってしまう。また、２種類のLEDはともに基本は白LEDなので、各々のLEDの色度は色度図上比較的近いところに存在することになる。よって、色温度（色度）を変更する場合に２種類のLEDに流す電流比が大きくなってしまう。即ち、光源をランプから白LEDに変更させただけなので、結局のところ、上述した従来の電流比可変制御のデメリットがそのまま存在することになる。即ち、２種類の白LEDを光源として採用しても、本発明の電流比可変制御を実現することができない。
【０１４４】
これに対して例えば、光源として、赤，緑，青の３種類のLEDを採用することで、原理的には、本発明の電流比可変制御を実現することができる。
【０１４５】
しかしながら、異なる色のLEDは、異なる色の半導体チップによりそれぞれ構成されている。よって、異なる色の半導体チップを２種類または３種類用いて、表示装置上で白を出す場合、各々の半導体チップの特性が異なることになる。例えば、温度特性や、電流／電圧特性や、電流／光度特性や、経時変化などの特性が異なることになる。よって、異なる色の半導体チップからそれぞれ構成される複数のLEDを採用する場合は、相異なる特性をそれぞれ補正する必要がある。
【０１４６】
図２１は、赤，緑，青の３種類のLEDを光源として用いるバックライト装置を搭載した表示装置の構成例を示している。
【０１４７】
図２１の例の表示装置は、R/G/Bセンサ１７１、表示部１７２、R/G/B-LED部１７３、および、LED駆動部１７４を含むように構成されている。
【０１４８】
R/G/Bセンサ１７１は、赤，緑，青の３種類のLEDの各特性を補正吸収するために、表示部１７２に表示される色を検出する。かかる検出結果は、フィードバック信号として、赤，緑，青の３種類のLEDの各LED駆動部１７４に帰還される。LED駆動部１７４は、このフィードバック信号を用いて特性の違いを吸収した補正をした上で、R/G/B-LED部１７３を駆動する。R/G/B-LED部１７３は、赤，緑，青の３種類のLEDを１組として、これらの組が複数集合して構成されている。
【０１４９】
この場合、R/G/Bセンサ１７１やR/G/B-LED部１７３等を含めて回路が複雑になるし、R/G/Bセンサ１７１を取り付けるための構造が必要になる。その結果、図２１の例の表示装置を実現化する場合、その小型化は困難なものとなる。なお、このことは、光源として青LEDと黄LEDの２種類のLEDを採用したとしても何等変わりはない。
【０１５０】
［光源がLEDである場合の本発明の電流比可変制御］
【０１５１】
そこで、第２の実施形態では、本発明の電流可変制御を実現した上で、表示装置全体の小型化を実現することができるように、バックライト装置の光源として、次のようなLEDが採用されている。即ち、色度がそれぞれ異なる２種類以上のLEDであって、各々青色半導体チップから構成されるLEDが採用されている。具体的には、１種類は青色半導体チップで構成される青色LEDが採用され、他の種類は「青色半導体チップに蛍光体を施して発光する構成のLED」が採用されている。以下、「青色半導体チップに蛍光体を施して発光する構成のLED」を、「青色半導体チップ＋蛍光体のLED」と称する。
【０１５２】
以下、具体例として、光源として、１種類の青色LEDと、１種類の「青色半導体チップに蛍光体を施して発光する構成のLED」とが採用された場合のバックライト装置について説明する。
【０１５３】
図２２は、青色LEDの発光スペクトルの例を示している。即ち、図２２に示されるスペクトルは、青色半導体チップの発光スペクトルそのものであるといえる。
【０１５４】
図２３，図２４は、「青色半導体チップ＋蛍光体のLED」の発光スペクトルの２つの例をそれぞれ示している。
【０１５５】
図２３の例の発光スペクトルは、約450nmの波長の青色半導体チップの発光スペクトルと、約450nmの光エネルギーにより励起されて発光する黄色蛍光体のスペクトルとの混合により形成されている。以下、これら二者のスペクトルのうち、前者を青色部のスペクトルと称し、後者を黄色部のスペクトルと称する。黄色の蛍光体の調合量によって青色部と黄色部のスペクトルの大きさの度合いが調整される。即ち、図２３の例では、約550nmを中心とする凸形のスペクトルとなっているが、この形状は調合量によって自在に可変できる。即ち、「青色半導体チップ＋蛍光体のLED」の色度は、黄色の蛍光体の調合量によって決定される。
【０１５６】
図２４の例の発光スペクトルは、約450nmの波長の青の半導体チップの発光スペクトルと、約450nmの光エネルギーにより励起されて発光する緑色蛍光体のスペクトルと、約450nmの光エネルギーにより励起されて発光する赤色蛍光体のスペクトルとの混合により形成されている。以下、これらの三者のうち、最初のスペクトルを青色部のスペクトルと称し、２番目と３番目のスペクトルの混合を黄色部のスペクトルと称する。緑色蛍光体と赤色蛍光体の調合量によって青色部と黄色部のスペクトルの大きさの度合いが調整される。即ち、図２４の例では、約540nmと約630nmとを中心とする凸形のスペクトルとなっているが、この形状は調合量によって自在に可変できる。即ち、「青色半導体チップ＋蛍光体のLED」の色度は、緑色蛍光体と赤色蛍光体の調合量によって決定される。
【０１５７】
なお、図２３の例に比べて図２４の例の方が、緑と赤のスペクトルが分離されている分だけ、色再現性は良くなる一方で、輝度効率が落ちてしまう。よって、「青色半導体チップ＋蛍光体のLED」としては、輝度を優先する場合には図２３の例を採用する方が好適であり、色再現を優先する場合には図２４の例を採用する方が好適である。
【０１５８】
図２５は、光源がLEDである場合の本発明の電流比可変制御を説明する色度図である。
【０１５９】
なお、図２５の色度図自体は、上述した図１０等の色度図と同一である。
【０１６０】
図２５の例の本発明の電流比可変制御においても、図１０の例と同様に、青色LEDと「青色半導体チップに蛍光体を施して発光する構成のLED」との電流比を可変することで、各々の色度を結んだ線分の範囲内で、電流比に合わせた色座標を設定できることになる。
【０１６１】
なお、図２５に示されるように、「青色半導体チップに蛍光体を施して発光する構成のLED」の色度は、黄色の色度となっている。そこで、以下、「青色半導体チップに蛍光体を施して発光する構成のLED」を、黄色のLEDと称する。
【０１６２】
このような青色LEDは、青色半導体チップの発光スペクトルに起因するバラつき（以下、青色起因バラつきと称する）が存在する。一方、黄色LEDは、青色起因バラつきに加えて、青色半導体チップに施した蛍光体の配合量に起因するバラつき（以下、蛍光体起因バラつきと称する）が存在する。青色起因バラつきの度合は小さいのに対して、蛍光体起因バラつきの度合は大きなものになる。もっとも、蛍光体起因バラつきの方向は、基本的に、図２５に示される青色LEDの色度と黄色LEDの色度とを結んだ線分の方向（図１９に図示されている方向）となる。よって、蛍光体起因バラつきにより黄色LEDがバラついたとしても、青色LEDと黄色LEDの電流調整により、そのバラつきを吸収できる。
【０１６３】
図２５に示される青色LEDの色度と黄色LEDの色度とを結んだ線分は、色温度がほぼ6500K乃至18000K近傍の黒体曲線３３にほぼ沿っている。換言すると、ほぼ沿うように、青色LEDの色度と黄色LEDの色度とをそれぞれ設定するのである。
【０１６４】
よって、導光板１１から出射される光の色度として、即ち、LCD２から出射される光の色度の色度座標として、例えば、5000K，6500K，95000K，12000K等の複数点を設定することができる。例えば図３と比較すべく6500Kを設定することを考える。この場合、図２５の例の本発明の電流比可変制御では、図２５の色度において、青色LEDの色度との6500Kとの間の直線距離と、黄色LEDの色度と6500Kとの間の直線距離との逆比を、青色LEDと黄色LEDの電流比として設定できる。この場合、青色LEDの色度と6500Kとの間の直線距離や黄色LEDの色度と6500Kとの間の直線距離（図２５の色度図参照）は、従来に比べて（図３の色度図参照）遥かに長くなる。よって、図２５の例の本発明の電流比可変制御において、即ち、光源がLEDである場合の本発明の電流比可変制御において、設定できる電流比は、従来の電流比可変制御で設定できる電流比と比較して小さくできる。その結果、図２５の例の本発明の電流比可変制御（光源がLED）を採用しても、図１０の例の本発明の電流比可変制御（光源がランプ）と同様の効果を奏することが可能になる。
【０１６５】
また、青色LEDと黄色LEDは何れも、青色半導体チップから構成されていることから、電圧、電流、温度等の特性は同じである。即ち、図２１のR/G/B-LED部１７３を構成する各色のLEDは、発光する半導体チップがそれぞれ異なっており、各々の特性が異なるために、フィードバック制御回路等複雑な回路となってしまう。これに対して、青色LEDと黄色LEDを用いて本発明の電流比可変制御を実現することで、そのような複雑な回路は不要となり、その結果、表示装置全体を小型化することができるようになる。
【０１６６】
[照明装置の第１の実施の形態としてのバックライト装置の構成例]
図２６は、本発明が適用される表示装置の第２の実施形態としての、ノート型パーソナルコンピュータ等に用いられる液晶表示装置の構成例であって、バックライト装置の光源としてLEDを採用した場合の構成例を示す図である。
【０１６７】
図２６の例の液晶表示装置には、バックライト装置２０１とLCD２が設けられている。  
【０１６８】
バックライト装置２０１には、導光板１１、LED部２１１、およびLED駆動部２１２が設けられている。
【０１６９】
導光板１１は、LCD２の裏面（図２６中図示されている面がLCD２の表示面であって、その表示面が表面とされる）側に配置され、LED部２１１から入射する光を、LCD２に向けて（所定の方向）出射する。
【０１７０】
なお、導光板１１の表面（LCD２の裏面と対向する面）とLCD２の裏面との間には、拡散シートやプリズムシート等が配置されることもある。また、導光板１１の裏面側には、反射シート等が配置されることもある。
【０１７１】
図２７は、青色LEDと黄色LEDとからなるLED部２１１の構成例を示している。
【０１７２】
LED部２１１は、複数の青色LED２２１Ｂが電気的に直列接続されて構成されるLED群２１１Ａと、複数の黄色LED２２１Ｙが電気的に直列接続されて構成されるLED群２１１Ｂとから構成される。青色LED２２１Ｂと黄色LED２２１Ｙとの空間的な配置は、図２７の例では、青色LED２２１Ｂと黄色LED２２１Ｙとが交互に配置されるいわゆるちどりがけの配置が採用されている。当然ながら、青色LED２２１Ｂと黄色LED２２１Ｙとの空間的な配置は、図２７の例に限定されない。
【０１７３】
図２８は、LED部２１１と、LED駆動部２１２の構成例を示している。
【０１７４】
LED駆動部２１２は、２つの出力を有している。これらの２つの出力のうちの、第１の出力がLED群２１１Ａに接続され、第２の出力がLED群２１１Ｂに接続されている。即ち、LED駆動部２１２は、LED群２１１ＡとLED群２１１Ｂとのそれぞれを個別に駆動することができる。具体的には、LED駆動部２１２は、入力電圧Viから、LED群２１１Ａに対しては定電流Io-Aを、LED群２１１Ｂに対しては定電流Io-Bを、それぞれ個別に出力することができる。定電流Io-Aを維持するために、電流検出抵抗R1により、LED群２１１Ａの電流検出信号FB-Aがフィードバックされる。同様に、定電流Io-Bを維持するために、電流検出抵抗R2により、LED群２１１Ｂの電流検出信号FB-Bがフィードバックされる。また、定電流Io-Aの大きさは、電流指令部２１３からの個別制御信号Ａにより可変制御される。同様に、定電流Io-Bの大きさは、電流指令部２１３からの個別制御信号Ｂにより可変制御される。即ち、電流指令部２１３からの個別制御信号Ａと個別制御信号Ｂとが独立して供給されることで、定電流Io-Aの可変制御と、定電流Io-Bの可変制御との相互独立の制御が実現される。
【０１７５】
即ち、上述した図１５の電流指令制御処理において、「Ｂランプ」を「LED群２１１Ａ」と、「ＲＧランプ」を「LED群２１１Ｂ」と、置き換えることができる。これにより、バックライト装置２０１のうちLED駆動部２１２と電流指令部２１３を含む制御部分が、図１５の電流指令制御処理をそのまま実行することができるようになる。
【０１７６】
なお、バックライト装置２０１のLED部２１１に搭載されるLEDは、本発明の電流可変制御を実現した上で、表示装置全体の小型化を実現するために採用し得るLEDであれば足り、上述した例に限定されない。
【０１７７】
例えば、バックライト装置の光源として、青色LED、「青色半導体チップ＋緑蛍光体の緑LED」、および「青色半導体チップ＋赤蛍光体の赤LED」の３種類のLEDを採用することができる。なお、以下、「青色半導体チップ＋緑蛍光体の緑LED」を緑色LEDと、「青色半導体チップ＋赤蛍光体の赤LED」を赤色LEDと、それぞれ称する。ここで、緑色LEDと赤色LEDとを１つの組とすると、その組は黄色LEDであると把握することもできる。即ち、青色LEDと黄色LEDの別の例として、青色LED、赤色LED、および緑色LEDを採用することができる。
【０１７８】
この場合も、青色LED、緑色LED、および赤色LEDの３種類とも、同じ青色半導体チップから構成されていることから、電圧、電流、温度等の特性は同じである。即ち、図２１のR/G/B-LED部１７３を構成する各色のLEDは、発光する半導体チップがそれぞれ異なっており、各々の特性が異なるために、フィードバック制御回路等複雑な回路となってしまう。これに対して、青色半導体チップから構成される３種類のLEDを用いて本発明の電流比可変制御を実現することで、そのような複雑な回路は不要となり、その結果、表示装置全体を小型化することができるようになる。
【０１７９】
図２９は、青色LED、緑色LED、および赤色LEDの３種類からなるLED部２１１の構成例を示している。
【０１８０】
LED部２１１は、複数の青色LED２２１Ｂが電気的に直列接続されて構成されるLED群２１１Ａと、複数の赤色LED２２１Ｒが電気的に直列接続されて構成されるLED群２１１Ｃと、複数の緑色LED２２１Ｇが電気的に直列接続されて構成されるLED群２１１Ｂとから構成される。青色LED２２１Ｂ、赤色LED２２１Ｒ、および緑色LED２２１Ｇの空間的な配置は、図２９の例では、青色LED２２１Ｂ、赤色LED２２１Ｒ、および緑色LED２２１Ｇが交互に配置されるいわゆるちどりがけの配置が採用されている。当然ながら、青色LED２２１Ｂ、赤色LED２２１Ｒ、および緑色LED２２１Ｇの空間的な配置は、図２９の例に限定されない。
【０１８１】
なお、この場合、図示はしないが、LED駆動部２１２は、定電流Io-Aの可変制御、定電流Io-Bの可変制御、および定電流Io-Cの可変制御のそれぞれを、相互独立に実行できる構成を有する必要がある。
【０１８２】
以上、第２の実施形態として、光源としてLEDを採用するバックライト装置について説明してきた。
【０１８３】
LEDとしては、本発明の電流比可変制御を実現できる種類であれば、特に限定されない。例えば、赤，緑，青の３種類のLEDのうち、２種類のLEDは青色半導体チップから構成させ、残りの１種類のLEDを単色半導体チップから構成させてもよい。
【０１８４】
もっとも、全種類のLEDを、青色半導体チップから構成させると好適である。電流制御等を簡単かつ簡素な構成で実現できるからである。
【０１８５】
例えば、図２１の例のように、相異なる色の半導体チップによりそれぞれ構成された複数種類のLEDを採用する場合には、それら複数種類のLEDの特性が違うので、電流制御等が複雑となり また経時変化なども違うので、取り扱いが複雑となる。これに対して、青色半導体チップから構成する複数種類のLEDを採用することで、上述の如く、LEDの基本的な特性が同一となり、電流制御等を簡単かつ簡素な構成で実現できる。
【０１８６】
さらに、青色半導体チップから構成する複数種類のLEDとして、青色LEDと黄色LEDとを採用すると好適である。表示装置としての色度バラツキ（誤差）が調整で吸収が可能となるからである。
【０１８７】
即ち、青色LEDの色度の色座標のバラつきは比較的に少ないのに対して、黄色LEDは蛍光体の量によるバラつきが多くなる。しかしながら、バラつきは主に青と黄側の方向にバラつくので、青色LEDと黄色LEDのうち少なくとも一方の光度を調整（電流調整）するだけで、バラつきを吸収でき、その結果、表示装置としてはバラツキを小さくすることが可能になる。
【０１８８】
また、色度の異なる２種類の白LEDを採用した場合には、バラつきの方向は同方向となるが、白LEDのバラつきが各種類毎に異なる、即ち、バラつきが２種類となるので、それらの２種類の掛け合わせで、最終的なバラつきの度合いが大きくなる。これに対して、青色LEDと黄色LEDを採用した場合には、上述の如く、主なバラツキは黄色LEDのバラつきに大きく依存するので、黄色LEDのバラつきの度合だけを抑制すればよいので、管理が簡素化される。
【０１８９】
また、電流比可変制御の点では、２種類の白LEDを採用した場合には、上述の如く、２種類の白LEDの色度の色座標は近いので、色温度（色度）を設定する場合に、２種類のLEDの電流差を大きく取る必要がある。電流差を大きく取ると、様々なデメリットが生じることは、図４や図５を用いて上述したとおりである。これに対して、青色LEDと黄色LEDを採用した場合には、青色LEDの色度と黄色LEDの色度の色座標が離れているので、色温度（色度）を設定する場合に、２種類のLEDの電流差を大きくとらなくても、目的の色温度を容易に設定できる。即ち、上述の様々なデメリットを解消することができる。例えば、LEDに流せる最大電流が決まっているので、２種類のLEDの電流差が小さくできることは総電流を大きくとること、即ち、表示装置全体の輝度を向上させることができることを意味する。
【０１９０】
ところで、上述した一連の処理は、ハードウエアにより実行させることもできるが、ソフトウエアにより実行させることもできる。
【０１９１】
一連の処理をソフトウエアにより実行させる場合には、そのソフトウエアを構成するプログラムが、専用のハードウエアに組み込まれているコンピュータ（例えば、上述した図２のインバータユニット１３の電流指令部２１等）、または、各種のプログラムをインストールすることで、各種の機能を実行することが可能な、例えば図３０に示される汎用のパーソナルコンピュータなどに、ネットワークや記録媒体からインストールされる。
【０１９２】
なお、図３０において、CPU５０１は、ROM５０２に記録されているプログラム、または記憶部５０８からRAM５０３にロードされたプログラムに従って各種の処理を実行する。RAM５０３にはまた、CPU５０１が各種の処理を実行する上において必要なデータなども適宜記憶される。
【０１９３】
CPU５０１、ROM５０２、およびRAM５０３は、バス５０４を介して相互に接続されている。このバス５０４にはまた、入出力インタフェース５０５も接続されている。
【０１９４】
入出力インタフェース５０５には、キーボード、マウスなどよりなる入力部５０６、ディスプレイなどよりなる出力部５０７、記憶部５０８、および、モデム、ターミナルアダプタなどより構成される通信部５０９が接続されている。
【０１９５】
なお、この場合、出力部５０７は、例えば、上述した図１に示される表示装置（バックライト装置１とLCD２とを少なくとも含む）や、図２６に示される表示装置（バックライト装置２０１とLCD２とを少なくとも含む）として構成することができる。即ち、この場合、出力部５０７に対する上述した一連の処理は、CPU５０１により実行されることになる。
【０１９６】
入出力インタフェース５０５にはまた、必要に応じてドライブ５１０が接続され、磁気ディスク、光ディスク、光磁気ディスク、或いは半導体メモリなどよりなるリムーバブル記録媒体５１１が適宜装着され、それらから読み出されたコンピュータプログラムが、必要に応じて記憶部５０８にインストールされる。
【０１９７】
ところで、このようなプログラムを含む記録媒体は、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）５１１により構成されるだけでなく、装置本体に予め組み込まれた状態でユーザに提供される、プログラムが記録されているROM５０２や、記憶部５０８に含まれるハードディスクなどで構成される。
【０１９８】
なお、本明細書において、システムとは、複数の装置や処理部により構成される装置全体を表すものである。
【０１９９】
また、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【図面の簡単な説明】
【０２００】
【図１】本発明が適用される表示装置の第１の実施形態としての、液晶表示装置の構成例を示す図である。
【図２】図１のバックライト装置のうちのインバータユニットの詳細な構成例を示すブロック図である。
【図３】従来の電流比可変制御を説明する色度図である。
【図４】従来の電流比可変制御による、表示装置の輝度調整範囲の一例を示す図である。
【図５】総電流の一定を前提とした従来の電流比可変制御の手法の例を示す図である。
【図６】冷陰極管に使用される蛍光体の一例を示す図である。
【図７】図６の各例の青色蛍光体の発光スペクトルの例を示す図である。
【図８】図６の各例の緑色蛍光体の発光スペクトルの例を示す図である。
【図９】図６の各例の赤色蛍光体の発光スペクトルの例を示す図である。
【図１０】本発明の電流比可変制御を説明する色度図である。
【図１１】本発明の電流比可変制御による、表示装置の輝度調整範囲の一例を示す図である。
【図１２】本発明の電流比可変制御の手法の例を示す図である。
【図１３】本発明の電流比可変制御の手法の別の例を示す図である。
【図１４】ランプ単体の色度と液晶表面の色度の変化の程度を示す図である。
【図１５】上述のバックライト装置１の動作のうち、動作電流指令部２１の電流指令制御処理の一例を説明するフローチャートである。
【図１６】第１の実施形態の表示装置に適用可能なバックライト装置であって、ランプの配置位置を図１の状態と異ならせた場合のバックライト装置の断面図である。
【図１７】第１の実施形態の表示装置に適用可能なバックライト装置であって、４本のランプが搭載されたバックライト装置の構成例を示す断面図である。
【図１８】一般的な色度図であって、上述した図３や図１０の色度図と同一の色度図である。
【図１９】図１８の色度図のうち、四角で囲んだ領域５１を拡大した図である。
【図２０】LED単体の色座標と液晶表面の色座標の変化の程度を示す図である。
【図２１】赤，緑，青の３種類のLEDを光源として用いるバックライト装置を搭載した表示装置の構成例を示している。
【図２２】本発明が適用される表示装置の第２の実施形態としての、液晶表示装置のバックライト装置の光源として採用可能な青色LEDの発光スペクトルの例を示す図である。
【図２３】本発明が適用される表示装置の第２の実施形態としての、液晶表示装置のバックライト装置の光源として採用可能な黄色LEDの発光スペクトルの例を示す図である。
【図２４】本発明が適用される表示装置の第２の実施形態としての、液晶表示装置のバックライト装置の光源として採用可能な黄色LEDの発光スペクトルの別の例を示す図である。
【図２５】光源がLEDである場合の本発明の電流比可変制御を説明する色度図である。
【図２６】本発明が適用される表示装置の第２の実施形態としての、液晶表示装置の構成例を示す図である。
【図２７】図２６の液晶表示装置のバックライト装置のLED部の構成例を示している。
【図２８】図２６の液晶表示装置のバックライト装置のLED駆動部の構成例を示している。
【図２９】図２６の液晶表示装置のバックライト装置のLED部の構成例であって、図２７の例とは異なる例を示している。
【図３０】本発明が適用される表示装置の少なくとも一部としてのコンピュータの構成例を示すブロック図である。
【符号の説明】
【０２０１】
１  バックライト装置，  ２  LCD，  １１  導光板，  １２−Ａ乃至１２−Ｄ  ランプ，  １３  インバータユニット，  ２１  電流指令部，  ２２−Ａ，２２−Ｂ  ランプ駆動部，  ２０１  バックライト装置,  ２１１  LED部，  ２１２  LED駆動部，  ５０１  CPU，  ５０２  ROM  ，  ５０７  出力部，  ５１１  リムーバブルメディア
【図１】
2010153065.tif 000003
【図２】
2010153065.tif 000004
【図３】
2010153065.tif 000005
【図４】
2010153065.tif 000006
【図５】
2010153065.tif 000007
【図６】
2010153065.tif 000008
【図７】
2010153065.tif 000009
【図８】
2010153065.tif 000010
【図９】
2010153065.tif 000011
【図１０】
2010153065.tif 000012
【図１１】
2010153065.tif 000013
【図１２】
2010153065.tif 000014
【図１３】
2010153065.tif 000015
【図１４】
2010153065.tif 000016
【図１５】
2010153065.tif 000017
【図１６】
2010153065.tif 000018
【図１７】
2010153065.tif 000019
【図１８】
2010153065.tif 000020
【図１９】
2010153065.tif 000021
【図２０】
2010153065.tif 000022
【図２１】
2010153065.tif 000023
【図２２】
2010153065.tif 000024
【図２３】
2010153065.tif 000025
【図２４】
2010153065.tif 000026
【図２５】
2010153065.tif 000027
【図２６】
2010153065.tif 000028
【図２７】
2010153065.tif 000029
【図２８】
2010153065.tif 000030
【図２９】
2010153065.tif 000031
【図３０】
2010153065.tif 000032